(57)【要約】  少なくとも２つのクロスバー要素を備える競技用ゴールのためのクロスバーコネクタ（１０２）であって、クロスバーコネクタが、少なくとも２つのクロスバー要素の第１のクロスバー要素と連結するように動作可能な第１の連結部分（１０６）と、少なくとも２つのクロスバー要素の第２のクロスバー要素と連結するように動作可能な第２の連結部分（１０８）とを備え、第１の連結部分の長手方向軸線および第２の連結部分の長手方向軸線が１７０°よりも大きく１８０°未満の角度（１０４）をなして配置される、クロスバーコネクタ（１０２）。本発明はまた、競技用ゴールのためのコーナーコネクタ、分解可能な競技用ゴールキットおよび競技用ゴールにも及ぶ。
2019516535.tif 000002
【特許請求の範囲】
【請求項１】
少なくとも２つのクロスバー要素を備える競技用ゴールのためのクロスバーコネクタであって、前記クロスバーコネクタが、前記少なくとも２つのクロスバー要素の第１のクロスバー要素と連結するように動作可能な第１の連結部分と、前記少なくとも２つのクロスバー要素の第２のクロスバー要素と連結するように動作可能な第２の連結部分とを備え、前記第１の連結部分の長手方向軸線および前記第２の連結部分の長手方向軸線が１７０°よりも大きく１８０°未満の角度をなして配置される、クロスバーコネクタ。
【請求項２】
前記クロスバーコネクタが、前記第１の連結部分および前記第２の連結部分と一体に形成されて結合形状を形成する中央部分を更に備える、請求項１に記載のクロスバーコネクタ。
【請求項３】
前記中央部分が上部領域と下部領域とを備え、前記上部領域の長さが前記下部領域の長さよりも広い、請求項２に記載のクロスバーコネクタ。
【請求項４】
前記中央部分が、前記第１の連結部分および前記第２の連結部分よりも大きな厚さを有する、請求項２または３に記載のクロスバーコネクタ。
【請求項５】
前記中央部分が内部チャネルを備える、請求項２〜４のいずれか一項に記載のクロスバーコネクタ。
【請求項６】
前記第１の連結部分および前記第２の連結部分が中空である、請求項１〜５のいずれか一項に記載のクロスバーコネクタ。
【請求項７】
前記クロスバーコネクタが、摩擦嵌めにより前記少なくとも２つのクロスバー要素に連結するように動作可能である、請求項１〜６のいずれか一項に記載のクロスバーコネクタ。
【請求項８】
前記クロスバーコネクタが、前記クロスバーコネクタを前記少なくとも２つのクロスバー要素に固定するように動作可能な１つまたは複数の固定手段を備える、請求項１〜７のいずれか一項に記載のクロスバーコネクタ。
【請求項９】
前記第１の連結部分の前記長手方向軸線および前記第２の連結部分の前記長手方向軸線が１７２°よりも大きく１７９°未満の角度をなして、例えば１７５°よりも大きく１７８°未満の角度をなして配置される、請求項１〜８のいずれか一項に記載のクロスバーコネクタ。
【請求項１０】
少なくとも１つのクロスバー要素と少なくとも１つのポスト要素とを備える競技用ゴールのためのコーナーコネクタであって、前記コーナーコネクタが、前記少なくとも１つのクロスバー要素または前記少なくとも１つのポスト要素と連結するように動作可能な第１の連結部分と、前記第１の連結部分が前記少なくとも１つのクロスバー要素または前記少なくとも１つのポスト要素に連結する場合に前記少なくとも１つのポスト要素または前記少なくとも１つのクロスバー要素の他方と連結するように動作可能な第２の連結部分とを備え、前記第１の連結部分の長手方向軸線および前記第２の連結部分の前記長手方向軸線が９０°よりも大きく１００°未満の角度をなして配置される、コーナーコネクタ。
【請求項１１】
前記コーナーコネクタが、前記第１の連結部分および前記第２の連結部分と一体に形成されて結合形状を形成する中央部分を更に備える、請求項１０に記載のコーナーコネクタ。
【請求項１２】
前記中央部分が第１のコーナー部分と第２のコーナー部分とを備え、前記第１のコーナー部分および前記第２のコーナー部分が一体に形成されて結合形状を形成する、請求項１１に記載のコーナーコネクタ。
【請求項１３】
前記中央部分が第１のコーナー部分と第２のコーナー部分とを備え、第１のコーナー部分および第２のコーナー部分が互いに直交するように配置される、請求項１１または１２に記載のコーナーコネクタ。
【請求項１４】
前記中央部分が、前記第１の連結部分および前記第２の連結部分よりも大きな厚さを有する、請求項１１〜１３のいずれか一項に記載のコーナーコネクタ。
【請求項１５】
前記中央部分が内部チャネルを備える、請求項１１〜１４のいずれか一項に記載のコーナーコネクタ。
【請求項１６】
前記第１の連結部分および前記第２の連結部分が中空である、請求項１０〜１５のいずれか一項に記載のコーナーコネクタ。
【請求項１７】
前記コーナーコネクタが、摩擦嵌めにより前記少なくとも１つのクロスバー要素および前記少なくとも１つのポスト要素と連結するように動作可能である、請求項１０〜１６のいずれか一項に記載のコーナーコネクタ。
【請求項１８】
前記コーナーコネクタが、前記コーナーコネクタを前記少なくとも１つのクロスバー要素および前記少なくとも１つのポスト要素に連結するように動作可能な１つまたは複数の固定手段を備える、請求項１０〜１７のいずれか一項に記載のコーナーコネクタ。
【請求項１９】
前記第１の連結部分および前記第２の連結部分が９０°よりも大きく９６°未満の角度をなして、例えば９１°よりも大きく９４°未満の角度をなして配置される、請求項１０〜１８のいずれか一項に記載のコーナーコネクタ。
【請求項２０】
分解可能な競技用ゴールキットであって、前記競技用ゴールキットが、クロスバーコネクタと、少なくとも２つのクロスバー要素とを備え、前記クロスバーコネクタが、前記少なくとも２つのクロスバー要素の第１のクロスバー要素と連結するように動作可能な第１の連結部分と、前記少なくとも２つのクロスバー要素の第２のクロスバー要素と連結するように動作可能な第２の連結部分とを備え、前記第１の連結部分の長手方向軸線および前記第２の連結部分の長手方向軸線が１７０°よりも大きく１８０°未満の角度をなして配置される、分解可能な競技用ゴールキット。
【請求項２１】
分解可能な競技用ゴールキットであって、前記キットが、少なくとも１つのコーナーコネクタと、少なくとも１つのクロスバー要素と、少なくとも１つポスト要素とを備え、前記コーナーコネクタが、前記少なくとも１つのクロスバー要素または前記少なくとも１つのポスト要素と連結するように動作可能な第１の連結部分と、前記第１の連結部分が前記少なくとも１つのクロスバー要素または前記少なくとも１つのポスト要素と連結する場合に前記少なくとも１つのポスト要素または前記少なくとも１つのクロスバー要素の他方と連結するように動作可能な第２の連結部分とを備え、前記第１の連結部分の長手方向軸線および前記第２の連結部分の長手方向軸線が９０°よりも大きく１００°未満の角度をなして配置される、分解可能な競技用ゴールキット。
【請求項２２】
少なくとも２つのクロスバー要素を有するクロスバーを備える競技用ゴールであって、前記クロスバーが、前記少なくとも２つのクロスバー要素の第１のクロスバー要素と連結するように動作可能な第１の連結部分と、前記少なくとも２つのクロスバー要素の第２のクロスバー要素と連結するように動作可能な第２の連結部分とを備えるクロスバーコネクタを備え、前記第１の連結部分の長手方向軸線および前記第２の連結部分の長手方向軸線が１７０°よりも大きく１８０°未満の角度をなして配置される、競技用ゴール。
【請求項２３】
前記クロスバーコネクタまたはその一部分および前記少なくとも２つのクロスバー要素またはそれらの一部分が、結合手段により互いに結合される、請求項２２に記載のゴール。
【請求項２４】
競技用ゴールであって、前記ゴールが、少なくとも１つのクロスバー要素と少なくとも１つのポスト要素とを備え、前記ゴールが、前記少なくとも１つのクロスバー要素と連結するように動作可能な第１の連結部分と、前記少なくとも１つのポスト要素と連結するように動作可能な第２の連結部分とを備える少なくとも１つのコーナーコネクタを備え、前記第１の連結部分の長手方向軸線および前記第２の連結部分の長手方向軸線が９０よりも大きく１００未満の角度をなして配置される、競技用ゴール。
【請求項２５】
前記少なくとも１つのコーナーコネクタまたはその一部分、前記少なくとも１つのクロスバー要素またはその一部分、および前記少なくとも１つのポスト要素またはその一部分が、結合手段により互いに結合される、請求項２４に記載のゴール。
【発明の詳細な説明】
【技術分野】
【０００１】
本発明は、クロスバーコネクタに関し、特に競技用ゴールのクロスバーのためのクロスバーコネクタに関する。
【背景技術】
【０００２】
折り畳み式の競技用ゴールが当技術分野において知られている。折り畳み式の競技用ゴールは、少なくとも実質的に持ち運び可能であり軽量であるように設計されるとともに使用前にその場で組み立てられて使用が終了した時点で分解され得る仮設のゴール固定具を提供するのに有用であり、結果として、ゴールの位置が永久的な位置である必要はない点において、重い材料から作製された、通常は永久的または半永久的な、静的固定具とは異なる。折り畳み式のゴールは、トレーニングシナリオにおいて特定の使用を見出す。そのようなゴールは、組立および分解の容易さ、持ち運びおよび保管のための減少した嵩および重量、ならびに組み立てられた時点での、開口部を画定する安定した構造などの、特定の特性を有する必要がある。
【０００３】
従来技術において知られているそのような折り畳み式のゴールに関する問題は、クロスバーの長さおよびクロスバーが構築される材料のため、クロスバーが機械的撓みを受け、その結果、クロスバーが地面に向かって下方に弓形に曲がることである。ゴールのクロスバーおよび平行な垂直ポストにより画定される開口部が小さくなるので、この撓みは、競技用ゴールのような構造の使用に関する深刻な問題である。
【発明の概要】
【発明が解決しようとする課題】
【０００４】
本発明の態様の目的は、上述のまたは他の問題に対する解決策を提供することである。
【課題を解決するための手段】
【０００５】
本発明の第１の態様によれば、少なくとも２つのクロスバー要素を備える競技用ゴールのためのクロスバーコネクタであって、クロスバーコネクタが、少なくとも２つのクロスバー要素の第１のクロスバー要素と連結するように動作可能な第１の連結部分と、少なくとも２つのクロスバー要素の第２のクロスバー要素と連結するように動作可能な第２の連結部分とを備え、第１の連結部分の長手方向軸線および第２の連結部分の長手方向軸線が１７０°よりも大きく１８０°未満の角度をなして配置される、クロスバーコネクタが提供される。
【０００６】
好ましくは、クロスバーコネクタは、中央部分と、好ましくは、外方に延在する第１の連結部分と、外方に延在する第２の連結部分とを備える。好ましくは、中央部分は、第１の連結部分および第２の連結部分と一体に形成されて、概して結合形状を形成する。
【０００７】
好ましくは、中央部分は、概して、第１の連結部分および第２の連結部分よりも長さが短い。
好ましくは、中央部分は内部チャネルを備える。
【０００８】
好ましくは、中央部分は、上部領域と、好ましくは下部領域とを備える。好ましくは、上部領域の長さは、概して、下部領域の長さよりも広い。好ましくは、中央部分は、下部領域に向かうテーパ部を備える。
【０００９】
好ましくは、中央部分は、概して、第１の連結部分および第２の連結部分よりも大きな厚さを有する。
好ましくは、第１の連結部分および第２の連結部分は概ね細長い。好ましくは、第１の連結部分および第２の連結部分は、それらの長さに沿った長手方向軸線を含む。第１の連結部分および第２の連結部分は、長手方向軸線に直交する任意の好適な断面形状を有し得る。好ましくは、第１の連結部分および第２の連結部分は、長手方向軸線に直交する断面が円形または部分円形である。好ましくは、第１の連結部分および第２の連結部分は概ね円筒状である。
【００１０】
第１の連結部分および第２の連結部分は、概ね中空であってもよく、好ましくは内部チャネルを備える。
好ましくは、第１の連結部分および第２の連結部分は、第１の連結部分の長手方向軸線および第２の連結部分の長手方向軸線が１７０°よりも大きく１８０°未満の角度をなして配置されるように配置される。好ましくは、第１の連結部分および第２の連結部分は、１７２°よりも大きく１７９°未満の角度をなして、最も好ましくは１７５°よりも大きく１７８°未満の角度をなして配置される。
【００１１】
第１の連結部分の長手方向軸線と第２の連結部分の長手方向軸線との間の角度がクロスバー要素の長さおよび重量に応じて異なる必要があり得ることが認識されるであろう。５〜６メートルの幅を有するゴール（例えば、１８．５フィート幅のゴール）などの、大型のゴールでは、第１の連結部分および第２の連結部分が、１７６°よりも大きく１７７°未満の角度をなして、例えば約１７６．５°の角度をなして配置されてもよい。３〜４メートルの幅を有するゴール（例えば、１２フィート幅のゴール）などの、小型のゴールでは、第１の連結部分および第２の連結部分が、１７８°よりも大きく１７９°未満の角度をなして、例えば約１７８．５°の角度をなして配置されてもよい。
【００１２】
クロスバーコネクタは、任意の好適な可鍛性材料から形成されてもよい。好適な材料の例としては、ポリ塩化ビニル（ＰＶＣ）、ポリプロピレン（ＰＰ）、アクリロニトリルブタジエンスチレン（ＡＢＳ）、ポリエチレン（ＰＥ）またはこれらの組み合わせなどの、ポリマーおよび／またはコポリマーから形成されたプラスチック材料、ならびに鋼、アルミニウムまたはこれらの組み合わせなどの金属材料が挙げられる。好ましくは、クロスバーコネクタは、プラスチック材料から形成される。
【００１３】
好ましくは、少なくとも２つのクロスバー要素は概ね細長い。好ましくは、少なくとも２つのクロスバー要素は、それらの長さに沿った長手方向軸線を含む。少なくとも２つのクロスバー要素は、長手方向軸線に直交する任意の好適な断面形状を有し得る。好ましくは、少なくとも２つのクロスバー要素は、長手方向軸線に直交する断面が円形または部分円形である。好ましくは、少なくとも２つのクロスバー要素は概ね円筒状である。
【００１４】
少なくとも２つのクロスバー要素は、概ね中空であってもよく、好ましくは内部チャネルを備える。
好ましくは、少なくとも２つのクロスバー要素は、クロスバーコネクタが形成される材料と同様の可鍛性材料から形成される。
【００１５】
好ましくは、少なくとも２つのクロスバー要素は、クロスバーコネクタと連結するように動作可能である。好ましくは、少なくとも２つのクロスバー要素は、クロスバーコネクタの第１の連結要素および第２の連結部分と連結するように動作可能である。好ましくは、少なくとも２つのクロスバー要素は、摩擦嵌めにより第１の連結部分および第２の連結部分と連結するように動作可能である。好ましくは、少なくとも２つのクロスバー要素の寸法は、概して、クロスバーコネクタの第１の連結部分および第２の連結部分の寸法に対応する。好ましくは、第１の連結部分および第２の連結部分は、幅がまたは円筒状である場合には直径が、少なくとも２つのクロスバー要素よりも小さい。
【００１６】
好ましくは、クロスバーコネクタは、クロスバーコネクタを少なくとも２つのクロスバー要素に固定するように動作可能な１つまたは複数の固定手段を更に備える。好ましくは、１つまたは複数の固定手段は、クロスバーコネクタの第１の連結部分および第２の連結部分を少なくとも２つのクロスバー要素に固定するように動作可能である。
【００１７】
好ましくは、１つまたは複数の固定手段は、少なくとも２つのクロスバー要素への着脱可能な取付部を形成するように動作可能であるようにクロスバーコネクタ上に配置される。好ましくは、１つまたは複数の固定手段は、クロスバーコネクタの延在する第１の連結部分および第２の連結部分にそれらの部分の長さの中央側に位置する。好適な固定手段は、ばねクリップおよびばねロックを含む。
【００１８】
好ましくは、少なくとも２つのクロスバー要素は、少なくとも２つのクロスバー要素をクロスバーコネクタに固定するように動作可能な１つまたは複数の固定手段を更に備える。好ましくは、１つまたは複数の固定手段は、少なくとも２つのクロスバー要素をクロスバーコネクタの第１の連結部分および第２の連結部分に固定するように動作可能である。
【００１９】
好ましくは、１つまたは複数の固定手段は、クロスバーコネクタの第１の連結部分および第２の連結部分への着脱可能な取付部を形成するように動作可能であるように少なくとも２つのクロスバー要素上に配置される。好ましくは、１つまたは複数の固定手段は、少なくとも２つのクロスバー要素の端部側に位置する。好適な固定手段は、少なくとも２つのクロスバー要素の材料における開口を含む。
【００２０】
好ましくは、クロスバーコネクタ上の１つまたは複数の固定手段の位置は、概して、少なくとも２つのクロスバー要素上の１つまたは複数の固定手段の位置に対応する。
一実施形態において、クロスバーコネクタの第１の連結部分および第２の連結部分は、中央部分と一体に形成されずに、概ね結合形状を形成してもよい。このような実施形態において、第１の連結部分の長手方向軸線と第２の連結部分の長手方向軸線との間の角度は、中央部分と第１の連結部分および第２の連結部分との取付箇所から１７０°超〜１８０°未満の間で可変であってもよい。このような実施形態において、中央部分の上部領域の長さは、下部領域の長さと概ね同じであるので、下部領域に向かうテーパ部が存在しない。
【００２１】
本発明の第２の態様によれば、少なくとも１つのクロスバー要素と少なくとも１つのポスト要素とを備える競技用ゴールのためのコーナーコネクタであって、コーナーコネクタが、少なくとも１つのクロスバー要素または少なくとも１つのポスト要素と連結するように動作可能な第１の連結部分と、第１の連結部分が少なくとも１つのクロスバー要素または少なくとも１つのポスト要素に連結する場合に少なくとも１つのポスト要素または少なくとも１つのクロスバー要素の他方と連結するように動作可能な第２の連結部分とを備え、第１の連結部分の長手方向軸線および第２の連結部分の長手方向軸線が９０°よりも大きく１００°未満の角度をなして配置される、コーナーコネクタが提供される。
【００２２】
好ましくは、コーナーコネクタは、中央部分と、好ましくは、外方に延在する第１の連結部分と、外方に延在する第２の連結部分とを備える。好ましくは、中央部分は、第１の連結部分および第２の連結部分と一体に形成されて、概して結合形状を形成する。
【００２３】
好ましくは、コーナーコネクタの中央部分は、第１のコーナー部分と、好ましくは第２のコーナー部分とを含む。好ましくは、第１のコーナー部分および第２のコーナー部分は、一体に形成されて、概して結合形状を形成する。好ましくは、第１のコーナー部分および第２のコーナー部分は、概して、互いに直交するように配置される。好ましくは、第１のコーナー部分および第２のコーナー部分は、それらの長さに沿った長手方向軸線を含む。第１のコーナー部分および第２のコーナー部分は、長手方向軸線に直交する任意の好適な断面形状を有し得る。好ましくは、第１のコーナー部分および第２のコーナー部分は、長手方向軸線に直交する断面が円形または部分円形である。
【００２４】
好ましくは、中央部分は内部チャネルを備える。
好ましくは、中央部分は、概して、コーナーコネクタの第１の連結部分および第２の連結部分よりも長さが短い。
【００２５】
好ましくは、中央部分は、概して、第１の連結部分および第２の連結部分よりも大きな厚さを有する。
好ましくは、第１の連結部分および第２の連結部分は概ね細長い。好ましくは、第１の連結部分および第２の連結部分は、それらの長さに沿った長手方向軸線を含む。第１の連結部分および第２の連結部分は、長手方向軸線に直交する任意の好適な断面形状を有し得る。好ましくは、第１の連結部分および第２の連結部分は、長手方向軸線に直交する断面が円形または部分円形である。好ましくは、第１の連結部分および第２の連結部分は概ね円筒状である。
【００２６】
第１の連結部分および第２の連結部分は、概ね中空であってもよく、好ましくは内部チャネルを備える。
好ましくは、第１の連結部分および第２の連結部分は、第１の連結部分の長手方向軸線および第２の連結部分の長手方向軸線が９０°よりも大きく１００°未満の角度をなして配置されるように配置される。好ましくは、第１の連結部分および第２の連結部分は、９０°よりも大きく９６°未満の角度をなして、最も好ましくは９１°よりも大きく９４°未満の角度をなして配置される。
【００２７】
コーナーコネクタは、任意の好適な可鍛性材料から形成されてもよい。好適な材料の例としては、ポリ塩化ビニル（ＰＶＣ）、ポリプロピレン（ＰＰ）、アクリロニトリルブタジエンスチレン（ＡＢＳ）、ポリエチレン（ＰＥ）またはこれらの組み合わせなどの、ポリマーおよび／またはコポリマーから形成されたプラスチック材料、ならびに鋼、アルミニウムまたはこれらの組み合わせなどの金属材料が挙げられる。好ましくは、コーナーコネクタは、プラスチック材料から形成される。
【００２８】
一実施形態において、コーナーコネクタの第１の連結部分および第２の連結部分は、中央部分と一体に形成されずに、概ね結合形状を形成してもよい。このような実施形態において、第１の連結部分の長手方向軸線と第２の連結部分の長手方向軸線との間の角度は、中央部分と第１の連結部分および第２の連結部分との取付箇所から１７０°超〜１８０°未満の間で可変であってもよい。
【００２９】
一実施形態において、第１のコーナー部分および第２のコーナー部分は、第１のコーナー部分の長手方向軸線および第２のコーナー部分の長手方向軸線が９０°よりも大きく１００°未満の角度をなして配置されるように配置されてもよい。第１のコーナー部分および第２のコーナー部分は、９０°よりも大きく９６°未満の角度をなして、例えば９１°よりも大きく９４°未満の角度をなして配置されてもよい。このような実施形態において、第１の連結部分および第２の連結部分は、コーナーコネクタの第１の連結部分および第２の連結部分の長手方向軸線が第１のコーナー部分および第２のコーナー部分の長手方向軸線と長手方向に整合されるように配置されてもよい。
【００３０】
好ましくは、少なくとも１つのクロスバー要素は概ね細長い。好ましくは、少なくとも１つのクロスバー要素は、その長さに沿った長手方向軸線を含む。少なくとも１つのクロスバー要素は、長手方向軸線に直交する任意の好適な断面形状を有し得る。好ましくは、少なくとも１つのクロスバー要素は、長手方向軸線に直交する断面が円形または部分円形である。好ましくは、少なくとも１つのクロスバー要素は概ね円筒状である。
【００３１】
少なくとも１つのクロスバー要素は、概ね中空であってもよく、内部チャネルを備える。
好ましくは、少なくとも１つのクロスバー要素は、コーナーコネクタが形成される材料と同様の可鍛性材料から形成される。
【００３２】
好ましくは、少なくとも１つのポスト要素は概ね細長い。好ましくは、少なくとも１つのポスト要素は、その長さに沿った長手方向軸線を含む。少なくとも１つのポスト要素は、長手方向軸線に直交する任意の好適な断面形状を有し得る。好ましくは、少なくとも１つのポスト要素は、長手方向軸線に直交する断面が円形または部分円形である。好ましくは、少なくとも１つのポスト要素は概ね円筒状である。
【００３３】
少なくとも１つのポスト要素は、概ね中空であってもよく、好ましくは内部チャネルを備える。
好ましくは、少なくとも１つのポスト要素は、コーナーコネクタが形成される材料と同様の可鍛性材料から形成される。
【００３４】
好ましくは、少なくとも１つのクロスバー要素は、コーナーコネクタと連結するように動作可能である。好ましくは、少なくとも１つのクロスバー要素は、少なくとも１つのポスト要素が第１の連結部分または第２の連結部分と連結する場合にコーナーコネクタの第１の連結部分または第２の連結部分の他方と連結するように動作可能である。好ましくは、少なくとも１つのクロスバー要素は、摩擦嵌めにより第１の連結部分または第２の連結部分と連結するように動作可能である。好ましくは、少なくとも１つのクロスバー要素の寸法は、概して、コーナーコネクタの第１の連結部分または第２の連結部分の寸法に対応する。好ましくは、第１の連結部分または第２の連結部分は、幅がまたは円筒状である場合には直径が、少なくとも１つのクロスバー要素よりも小さい。
【００３５】
好ましくは、少なくとも１つのポスト要素は、コーナーコネクタと連結するように動作可能である。好ましくは、少なくとも１つのポスト要素は、少なくとも１つのクロスバー要素が第１の連結部分または第２の連結部分と連結する場合にコーナーコネクタの第１の連結部分または第２の連結部分の他方と連結するように動作可能である。好ましくは、少なくとも１つのポスト要素は、摩擦嵌めにより第１の連結部分または第２の連結部分と連結するように動作可能である。好ましくは、少なくとも１つのポスト要素の寸法は、概して、コーナーコネクタの第１の連結部分または第２の連結部分の寸法に対応する。好ましくは、第１の連結部分または第２の連結部分は、幅がまたは円筒状である場合には直径が、少なくとも１つのポスト要素よりも小さい。
【００３６】
好ましくは、コーナーコネクタは、コーナーコネクタを少なくとも１つのクロスバー要素および少なくとも１つのポスト要素に固定するように動作可能な１つまたは複数の固定手段を更に備える。好ましくは、１つまたは複数の固定手段は、コーナーコネクタの第１の連結部分および第２の連結部分を少なくとも１つのクロスバー要素および少なくとも１つのポスト要素に固定するように動作可能である。
【００３７】
好ましくは、１つまたは複数の固定手段は、少なくとも１つのクロスバー要素および少なくとも１つのポスト要素への着脱可能な取付部を形成するように動作可能であるようにコーナーコネクタ上に配置される。好ましくは、１つまたは複数の固定手段は、コーナーコネクタの延在する第１の連結部分および第２の連結部分にそれらの部分の長さの中央側に位置する。好適な固定手段は、ばねクリップおよびばねロックを含む。
【００３８】
好ましくは、少なくとも１つのクロスバー要素は、少なくとも１つのクロスバー要素をコーナーコネクタに固定するように動作可能な１つまたは複数の固定手段を更に備える。好ましくは、１つまたは複数の固定手段は、少なくとも１つのポスト要素が第１の連結部分または第２の連結部分に固定される場合に少なくとも１つのクロスバー要素をコーナーコネクタの第１の連結部分または第２の連結部分の他方に固定するように動作可能である。
【００３９】
好ましくは、１つまたは複数の固定手段は、コーナーコネクタの第１の連結部分または第２の連結部分への着脱可能な取付部を形成するように動作可能であるように少なくとも１つのクロスバー要素上に配置される。好ましくは、１つまたは複数の固定手段は、少なくとも１つのクロスバー要素の端部側に位置する。好適な固定手段は、少なくとも１つのクロスバー要素の材料における開口を含む。
【００４０】
好ましくは、コーナーコネクタ上の１つまたは複数の固定手段は、概して、少なくとも１つのクロスバー要素上の１つまたは複数の固定手段の位置に対応する。
好ましくは、少なくとも１つのポスト要素は、少なくとも１つのポスト要素をコーナーコネクタに固定するように動作可能な１つまたは複数の固定手段を更に備える。好ましくは、１つまたは複数の固定手段は、少なくとも１つのクロスバー要素が第１の連結部分または第２の連結部分に固定される場合に少なくとも１つのポスト要素をコーナーコネクタの第１の連結部分または第２の連結部分の他方に固定するように動作可能である。
【００４１】
好ましくは、１つまたは複数の固定手段は、コーナーコネクタの第１の連結部分または第２の連結部分への着脱可能な取付部を形成するように動作可能であるように少なくとも１つのポスト要素上に配置される。好ましくは、１つまたは複数の固定手段は、少なくとも１つのポスト要素の端部側に位置する。好適な固定手段は、少なくとも１つのポスト要素の材料における開口を含む。
【００４２】
好ましくは、コーナーコネクタ上の１つまたは複数の固定手段は、概して、少なくとも１つのポスト要素上の１つまたは複数の固定手段の位置に対応する。
本発明の第３の態様によれば、分解可能な競技用ゴールキットであって、キットが、クロスバーコネクタと、少なくとも２つのクロスバー要素とを備え、クロスバーコネクタが、少なくとも２つのクロスバー要素の第１のクロスバー要素と連結するように動作可能な第１の連結部分と、少なくとも２つのクロスバー要素の第２のクロスバー要素と連結するように動作可能な第２の連結部分とを備え、第１の連結部分の長手方向軸線および第２の連結部分の長手方向軸線が１７０°よりも大きく１８０°未満の角度をなして配置される、キットが提供される。
【００４３】
本発明の第４の態様によれば、分解可能な競技用ゴールキットであって、キットが、少なくとも１つのコーナーコネクタと、少なくとも１つのクロスバー要素と、少なくとも１つポスト要素とを備え、コーナーコネクタが、少なくとも１つのクロスバー要素または少なくとも１つのポスト要素と連結するように動作可能な第１の連結部分と、第１の連結部分が少なくとも１つのクロスバー要素または少なくとも１つのポスト要素に連結する場合に少なくとも１つのポスト要素または少なくとも１つのクロスバー要素の他方と連結するように動作可能な第２の連結部分とを備え、第１の連結部分の長手方向軸線および第２の連結部分の長手方向軸線が９０°よりも大きく１００°未満の角度をなして配置される、キットが提供される。
【００４４】
本発明の更なる態様によれば、少なくとも２つのクロスバー要素を有するクロスバーを備える競技用ゴールであって、クロスバーが、少なくとも２つのクロスバー要素の第１のクロスバー要素と連結するように動作可能な第１の連結部分と、少なくとも２つのクロスバー要素の第２のクロスバー要素と連結するように動作可能な第２の連結部分とを備えるクロスバーコネクタを備え、第１の連結部分の長手方向軸線および第２の連結部分の長手方向軸線が１７０°よりも大きく１８０°未満の角度をなして配置される、競技用ゴールが提供される。
【００４５】
有利には、クロスバーコネクタは、長手方向の整合からずらされる、所定の角度で少なくとも２つのクロスバー要素を配置するように動作可能であり、その結果、組み立てられたときに、クロスバーコネクタの長手方向ずれ角度との組み合わせでの少なくとも２つのクロスバー要素の機械的撓みにより、クロスバーがその長さに沿って実質的に水平に配置される。
【００４６】
好ましくは、ゴールは、第１の組立構成および第２の分解構成を有する。好ましくは、ゴールは、組立構成において開口部を画定する。好ましくは、開口部は概ね矩形である。
好ましくは、組立構成において、ゴールは、少なくとも２つのポスト要素を更に備える。好ましくは、競技用ゴールの組み立てられたクロスバーは、概ね平行な直立構成の少なくとも２つのポスト要素により支持されるように動作可能である。好ましくは、クロスバーおよび少なくとも２つのポスト要素は、発射体が内部へ発射され得る、開口部を組立構成において画定する。
【００４７】
好ましくは、組立構成において、クロスバーコネクタまたはその一部分および少なくとも２つのクロスバー要素またはそれらの一部分は、結合手段により互いに結合される。好ましくは、結合手段は、クロスバーコネクタまたはその一部分と少なくとも２つのクロスバー要素またはそれらの一部分とを貫通して内部に延在する。結合手段は、細長い可撓性部材を含み得る。好適な結合手段は、伸縮性であり得かつ更には延伸可能であり得るコードまたはラインを含む。
【００４８】
組立構成において、クロスバーコネクタまたはその一部分と少なくとも２つのクロスバー要素またはそれらの一部分とを貫通して延在する同じ結合手段が、組み立てられたクロスバーの少なくとも一部分と少なくとも２つの細長いポスト要素とを互いに結合するように、少なくとも２つの細長いポスト要素の少なくとも一部分をも貫通して延在してもよい。
【００４９】
一実施形態において、クロスバーは、３つ以上の細長いクロスバー要素を備え得る。
本発明の更なる態様によれば、競技用ゴールであって、ゴールが、少なくとも１つのクロスバー要素と、少なくとも１つのポスト要素とを備え、ゴールが、少なくとも１つのクロスバー要素と連結するように動作可能な第１の連結部分と、少なくとも１つのポスト要素と連結するように動作可能な第２の連結部分とを備える少なくとも１つのコーナーコネクタを備え、第１の連結部分の長手方向軸線および第２の連結部分の長手方向軸線が９０°よりも大きく１００°未満の角度をなして配置される、競技用ゴールが提供される。
【００５０】
有利には、コーナーコネクタは、直角よりも大きくなるように、直角からずらされる、所定の角度で少なくとも１つのクロスバー要素および少なくとも１つのポスト要素を配置するように動作可能であり、その結果、組み立てられたときに、コーナーコネクタの直角ずれ角度との組み合わせでのゴールのクロスバーの機械的撓みにより、クロスバーがその長さに沿って実質的に水平に配置される。
【００５１】
好ましくは、ゴールは、第１の組立構成および第２の分解構成を有する。好ましくは、ゴールは、組立構成において開口部を画定する。好ましくは、開口部は概ね矩形である。
好ましくは、組立構成において、ゴールは、少なくとも２つのクロスバー要素を備えるクロスバーと、好ましくは少なくとも２つのポスト要素と、好ましくは少なくとも２つのコーナーコネクタとを備える。好ましくは、組立構成において、少なくとも２つのポスト要素は、競技用ゴールのクロスバーを支持するように概ね平行な直立構成で配置される。好ましくは、クロスバーおよび少なくとも２つのポスト要素は、発射体が内部へ発射され得る、開口部を組立構成において画定する。
【００５２】
好ましくは、組立構成において、少なくとも１つのコーナーコネクタまたはその一部分、少なくとも１つのクロスバー要素またはその一部分、および少なくとも１つのポスト要素またはその一部分は、結合手段により互いに結合される。好ましくは、結合手段は、少なくとも１つのコーナーコネクタまたはその一部分と少なくとも１つのクロスバー要素またはその一部分と少なくとも１つのポスト要素またはその一部分とを貫通して内部に延在してもよい。結合手段は、細長い可撓性部材を含み得る。好適な結合手段は、伸縮性であり得かつ更には延伸可能であり得るコードまたはラインを含む。
【００５３】
組立構成において、少なくとも１つのコーナーコネクタまたはその一部分と少なくとも１つのクロスバー要素またはその一部分と少なくとも１つのポスト要素またはその一部分とを貫通して延在する同じ結合手段が、組み立てられたクロスバーの少なくとも一部分と少なくとも２つのポスト要素とを互いに結合するように、組み立てられたクロスバーの少なくとも一部分をも貫通して延在してもよい。
【００５４】
一実施形態において、組立構成では、ゴールは、少なくとも２つのクロスバー要素とクロスバーコネクタとから形成されたクロスバーであって、クロスバーコネクタが、少なくとも２つのクロスバー要素の第１のクロスバー要素と連結するように動作可能な第１の連結部分と、少なくとも２つのクロスバー要素の第２のクロスバー要素と連結するように動作可能な第２の連結部分とを備え、第１の連結部分の長手方向軸線および第２の連結部分の長手方向軸線が１７０°よりも大きく１８０°未満の角度をなして配置される、クロスバーを備える。
【００５５】
本明細書における「１７０°よりも大きく１８０°未満」の角度に関するあらゆる言及は、１７０°〜１８０°（ただし１７０°を含まない）のあらゆる角度として理解されるべきである。いくつかの実施形態において、かかる角度は、１７２°よりも大きく１７９°未満であってもよく、またはかかる角度は、１７５°よりも大きく１７８°未満であってもよく、またはかかる角度は、１７６°よりも大きく１７７°未満であってもよい。例えば、かかる角度は約１７６．５°であってもよい。
【００５６】
本明細書における「９０°よりも大きく１００°未満」の角度に関するあらゆる言及は、９０°〜１００°（ただし９０°を含まない）のあらゆる角度として理解されるべきである。いくつかの実施形態において、かかる角度は、９０°よりも大きく９６°未満であってもよく、またはかかる角度は、９１°よりも大きく９５°未満であってもよく、またはかかる角度は、９２°よりも大きく９４°未満であってもよい。例えば、かかる角度は約９３．５°であってもよい。
【００５７】
本明細書で使用される場合、具体的に別段の定めのない限り、単数形は複数形を含み、複数形は単数形を包含する。例えば、単数形、すなわち「１つの（ａ）」または「１つの（ａｎ）」の使用は、「１つまたは複数の」を含む。加えて、本明細書で使用される場合、「または」の使用は、「および／または」が特定の事例において明示的に使用され得るとしても、具体的に別段の定めのない限り「および／または」を意味する。
【００５８】
本明細書に含まれる全ての特徴は、上記の態様のいずれかと任意の組み合わせで組み合わされてもよい。
本発明のより良い理解のために、かつ本発明の実施形態がどのように実行され得るかを示すために、ここで添付の概略的な図面を例として参照する。
【図面の簡単な説明】
【００５９】
【図１】図１は、本発明によるクロスバーコネクタの斜視図を示す。
【図２】図２は、本発明によるコーナーコネクタの斜視図を示す。
【図３】図３は、本発明による競技用ゴールの斜視図を組立構成で示す。
【発明を実施するための形態】
【００６０】
図１を参照すると、中央部分１０４と、外方に延在する第１の連結部分１０６と、外方に延在する第２の連結部分１０８とを有するクロスバーコネクタ１０２が提供される。中央部分１０４は、第１の連結部分１０６および第２の連結部分１０８と一体に形成されて、結合形状を形成する。中央部分１０４は、第１の連結部分１０６および第２の連結部分１０８よりも長さが短い。中央部分１０４は、上部領域１１０と下部領域１１２とを備える。上部領域１１０の長さは、中央部分１０４が下部領域１１２に向かって先細りになるように下部領域１１２よりも広い。中央部分１０４は内部チャネル（図示せず）を備える。中央部分は、第１の連結部分１０６および第２の連結部分１０８よりも厚みがある。
【００６１】
クロスバーコネクタ１０２の第１の連結部分１０６および第２の連結部分１０８は、細長くかつ中央部分１０４から延在する。第１の連結部分１０６および第２の連結部分１０８は、それらの長さに沿った長手方向軸線を有するとともに、長手方向軸線に直交する断面（図示せず）が円形である。第１の連結部分１０６および第２の連結部分１０８は円筒状でかつ中空である（図示せず）。
【００６２】
クロスバーコネクタ１０２の第１の連結部分１０６および第２の連結部分１０８は、摩擦嵌めにより２つのクロスバー要素（図示せず）と連結する。クロスバーコネクタ１０２の第１の連結部分１０６および第２の連結部分１０８の寸法は、２つのクロスバー要素（図示せず）の寸法に対応する。
【００６３】
ばねクリップの形態の、固定手段１１４は、クロスバーコネクタ１０２の第１の連結部分１０６および第２の連結部分１０８の長さに沿って位置する。固定手段１１４は、第１の連結部分１０６および第２の連結部分１０８を２つのクロスバー要素（図示せず）に固定するための着脱可能な取付部を形成する。クロスバーコネクタ１０２上の固定手段１１４の位置は、２つのクロスバー要素（図示せず）上の固定手段の位置に対応する。
【００６４】
クロスバーコネクタ１０２の第１の連結部分１０６および第２の連結部分１０８は、第１の連結部分１０６の長手方向軸線および第２の連結部分１０８の長手方向軸線が１７０°よりも大きく１８０°未満の角度１１６（この実施形態では、約１７６．５°）をなして配置されるように配置される。
【００６５】
クロスバーコネクタ１０２は、プラスチック材料から形成される。クロスバーコネクタ１０２が任意の好適な可鍛性材料から形成され得ることは当業者には明らかであろう。
一実施形態において、クロスバーコネクタ１０２の第１の連結部分１０６および第２の連結部分１０８は、中央部分１０４と一体に形成されずに、結合形状を形成する。第１の連結部分１０６の長手方向軸線と第２の連結部分１０８の長手方向軸線との間の角度１１６は、中央部分１０４と第１の連結部分１０６および第２の連結部分１０８との取付箇所１１８から１７０°超〜１８０°未満の間で可変である。このような実施形態において、当業者であれば、中央部分の上部領域の長さが下部領域の長さと概ね同じであるので下部領域に向かうテーパ部が存在しないことが認識されるであろう。
【００６６】
図２を参照すると、第１のコーナー部分２０５および第２のコーナー部分２０７を備える中央部分２０４と、外方に延在する第１の連結部分２０６と、外方に延在する第２の連結部分２０８とを有するコーナーコネクタ２０２が提供される。中央部分２０４は、第１の連結部分２０６および第２の連結部分２０８と一体に形成されて、結合形状を形成する。
【００６７】
中央部分２０４は、第１のコーナー部分２０５および第２のコーナー部分２０７を備える。第１のコーナー部分２０５および第２のコーナー部分２０７は、互いに直交するように配置される。第１のコーナー部分２０５および第２のコーナー部分２０７は、それらの長さに沿った長手方向軸線を有する。第１のコーナー部分２０５および第２のコーナー部分２０７は、それらの長手方向軸線に直交する断面（図示せず）が円形である。第１のコーナー部分２０５および第２のコーナー部分２０７は、内部チャネル（図示せず）を有する。
【００６８】
第１のコーナー部分２０５および第２のコーナー部分２０７は、第１の連結部分２０６および第２の連結部分２０８よりも長さが短い。中央部分２０４は、第１の連結部分２０６および第２の連結部分２０８よりも厚みがある。
【００６９】
コーナーコネクタ２０２の第１の連結部分２０６および第２の連結部分２０８は、細長くかつ中央部分２０４から延在する。第１の連結部分２０６および第２の連結部分２０８は、それらの長さに沿った長手方向軸線を有するとともに、長手方向軸線に直交する断面（図示せず）が円形である。第１の連結部分２０６および第２の連結部分２０８は円筒状でかつ中空である（図示せず）。
【００７０】
コーナーコネクタ２０２の第１の連結部分２０６は、クロスバー要素（図示せず）またはポスト要素（図示せず）のいずれか一方と連結し、かつ第２の連結部分２０８は、摩擦嵌めによりポスト要素（図示せず）またはクロスバー要素（図示せず）の他方と連結する。コーナーコネクタ２０２の第１の連結部分２０６および第２の連結部分２０８の寸法は、クロスバー要素（図示せず）およびポスト要素（図示せず）の寸法に対応する。
【００７１】
ばねクリップの形態の、固定手段２１４は、コーナーコネクタ２０２の第１の連結部分２０６および第２の連結部分２０８の長さに沿って位置する。固定手段２１４は、第１の連結部分２０６をクロスバー要素（図示せず）またはポスト要素（図示せず）のいずれか一方にかつ第２の連結部分２０８をポスト要素（図示せず）またはクロスバー要素（図示せず）の他方に固定するための着脱可能な取付部を形成する。コーナーコネクタ２０２上の固定手段２１４の位置は、クロスバー要素（図示せず）およびポスト要素（図示せず）上の固定手段の位置に対応する。
【００７２】
コーナーコネクタ２０２の第１の連結部分２０６および第２の連結部分２０８は、第１の連結部分２０６の長手方向軸線および第２の連結部分２０８の長手方向軸線が９０°よりも大きく１００°未満の角度２１６（この実施形態では、約９３．５°）をなして配置されるように配置される。
【００７３】
コーナーコネクタ２０２は、プラスチック材料から形成される。コーナーコネクタ２０２が任意の好適な可鍛性材料から形成され得ることは当業者には明らかであろう。
一実施形態において、第１のコーナー部分２０５および第２のコーナー部分２０７は、第１のコーナー部分２０５の長手方向軸線および第２のコーナー部分２０７の長手方向軸線が９０°よりも大きく１００°未満の角度２１８をなして配置されるように配置される。このような実施形態において、第１の連結部分２０６および第２の連結部分２０８の長手方向軸線は、それぞれ第１のコーナー部分２０５および第２のコーナー部分２０７の長手方向軸線と長手方向に整合される。
【００７４】
別の実施形態において、コーナーコネクタ２０２の第１の連結部分２０６および第２の連結部分２０８は、中央部分２０４と一体に形成されずに、結合形状を形成する。第１の連結部分２０６の長手方向軸線と第２の連結部分２０８の長手方向軸線との間の角度２１６は、中央部分２０４と第１の連結部分２０６および第２の連結部分２０８との取付箇所２２０から１７０°超〜１８０°未満の間で可変である。
【００７５】
図３を参照すると、第１のクロスバー要素３０６および第２のクロスバー要素３０８とを有するクロスバー３０４と第１のポスト要素３１０と第２のポスト要素３１２とを備える、組み立てられた競技用ゴール３０２が提供される。ゴール３０２はまた、クロスバーコネクタ３１４と、第１のコーナーコネクタ３１６と、第２のコーナーコネクタ３１８とを備える。
【００７６】
第１のクロスバー要素３０６および第２のクロスバー要素３０８は細長い。第１のクロスバー要素３０６および第２のクロスバー要素３０８は、それらの長さに沿った長手方向軸線を有するとともに、長手方向軸線に直交する断面（図示せず）が円形である。第１のクロスバー要素３０６および第２のクロスバー要素３０８は円筒状でかつ中空である（図示せず）。第１のクロスバー要素３０６および第２のクロスバー要素３０８は、プラスチック材料から形成される。第１のクロスバー要素３０６および第２のクロスバー要素３０８が任意の好適な可鍛性材料から形成され得ることは当業者には明らかであろう。
【００７７】
第１のクロスバー要素３０６および第２のクロスバー要素３０８は、図１に詳述するように、クロスバーコネクタ３１４と連結する。第１のクロスバー要素３０６および第２のクロスバー要素３０８は、摩擦嵌めにより、クロスバーコネクタ３１４の第１の連結部分および第２の連結部分（図示せず）とそれぞれ連結する。クロスバーコネクタ３１４の中央部分３１５は、中央部分３１５がクロスバーコネクタ３１４の第１の連結部分および第２の連結部分よりも大きな厚さを有するので第１のクロスバー要素３０６および第２のクロスバー要素３０８がクロスバーコネクタ３１４の第１の連結部分および第２の連結部分（図示せず）と連結したときに視認できる。第１のクロスバー要素３０６および第２のクロスバー要素３０８の寸法は、クロスバーコネクタ３１４の第１の連結部分および第２の連結部分（図示せず）の寸法に対応する。第１の連結部分および第２の連結部分（図示せず）は、第１のクロスバー要素３０６および第２のクロスバー要素３０８よりも直径が小さい。クロスバーコネクタ３１４は、プラスチック材料から形成される。クロスバーコネクタ３１４が任意の好適な可鍛性材料から形成され得ることは当業者には明らかであろう。
【００７８】
ばねクリップの形態の、固定手段３２０は、第１のクロスバー要素３０６および第２のクロスバー要素３０８をクロスバーコネクタ３１４のそれぞれ第１の連結部分および第２の連結部分（図示せず）に固定するために、第１のクロスバー要素３０６および第２のクロスバー要素３０８上に第１のクロスバー要素３０６の端部および第２のクロスバー要素３０８の端部側に位置する。固定手段３２０は、図１に詳述するように、クロスバーコネクタ３１４の第１の連結部分および第２の連結部分（図示せず）上の固定手段の位置に対応するように配置される。
【００７９】
第１のポスト要素３１０および第２のポスト要素３１２は細長い。第１のポスト要素３１０および第２のポスト要素３１２は、それらの長さに沿った長手方向軸線を有するとともに、長手方向軸線に直交する断面（図示せず）が円形である。第１のポスト要素３１０および第２のポスト要素３１２は円筒状でかつ中空である（図示せず）。第１のポスト要素３１０および第２のポスト要素３１２は、プラスチック材料から形成される。第１のポスト要素３１０および第２のポスト要素３１２が任意の好適な可鍛性材料から形成され得ることは当業者には明らかであろう。
【００８０】
第１のクロスバー要素３０６および第１のポスト要素３１０は、図２に詳述するように、第１のコーナーコネクタ３１６と連結する。第１のクロスバー要素３０６は、第１のポスト要素３１０が摩擦嵌めにより第１の連結部分または第２の連結部分（図示せず）のいずれか一方と連結する場合に第１のコーナーコネクタ３１６の第１の連結部分または第２の連結部分（図示せず）の他方と連結する。第１のコーナーコネクタ３１６の中央部分３１７は、中央部分３１７が第１のコーナーコネクタ３１６の第１の連結部分および第２の連結部分（図示せず）よりも大きな厚さを有するので第１のクロスバー要素３０６および第１のポスト要素３１０が第１のコーナーコネクタ３１６の第１の連結部分または第２の連結部分（図示せず）と連結したときに視認できる。第１のクロスバー要素３０６および第１のポスト要素３１０の寸法は、第１のコーナーコネクタ３１６の第１の連結部分および第２の連結部分（図示せず）の寸法に対応する。クロスバーコネクタ３１４の第１の連結部分および第２の連結部分（図示せず）は、第１のクロスバー要素３０６および第１のポスト要素３１０よりも直径が小さい。第１のコーナーコネクタ３１６は、プラスチック材料から形成される。第１のコーナーコネクタ３１６が任意の好適な可鍛性材料から形成され得ることは当業者には明らかであろう。
【００８１】
それぞれ第１のクロスバー要素３０６および第１のポスト要素３１０の材料における開口の形態の、固定手段３２２および３２４は、第１のクロスバー要素３０６を第１の連結部分または第２の連結部分（図示せず）のいずれか一方にかつ第１のポスト要素３１０を第１のコーナーコネクタ３１６の第１の連結部分または第２の連結部分（図示せず）の他方に固定するために、第１のクロスバー要素３０６および第１のポスト要素３１０上に第１のクロスバー要素３０６の端部および第１のポスト要素３１０の端部側に位置する。固定手段３２２および３２４は、図２に詳述するように、第１のコーナーコネクタ３１６の第１の連結部分および第２の連結部分（図示せず）上の固定手段（ばねクリップ）の位置に対応するように配置される。
【００８２】
第２のクロスバー要素３０８および第２のポスト要素３１２は、図２に詳述するように、第２のコーナーコネクタ３１８と連結する。第２のクロスバー要素３０８は、第２のポスト要素３１２が摩擦嵌めにより第１の連結部分または第２の連結部分（図示せず）のいずれか一方と連結する場合に第２のコーナーコネクタ３１８の第１の連結部分または第２の連結部分（図示せず）の他方と連結する。第２のコーナーコネクタ３１８の中央部分３１９は、中央部分３１９が第２のコーナーコネクタ３１８の第１の連結部分および第２の連結部分（図示せず）よりも大きな厚さを有するので第２のクロスバー要素３０８および第２のポスト要素３１２が第２のコーナーコネクタ３１８の第１の連結部分または第２の連結部分（図示せず）と連結したときに視認できる。第２のクロスバー要素３０８および第２のポスト要素３１２の寸法は、第２のコーナーコネクタ３１８の第１の連結部分および第２の連結部分（図示せず）の寸法に対応する。第１の連結部分および第２の連結部分（図示せず）は、第２のクロスバー要素３０８および第２のポスト要素３１２よりも直径が小さい。第２のコーナーコネクタ３１８は、プラスチック材料から形成される。第２のコーナーコネクタ３１８が任意の好適な可鍛性材料から形成され得ることは当業者には明らかであろう。
【００８３】
それぞれ第２のクロスバー要素３０８および第２のポスト要素３１２の材料における開口の形態の、固定手段３２２および３２４は、第２のクロスバー要素３０８を第１の連結部分または第２の連結部分（図示せず）のいずれか一方にかつ第２のポスト要素３１２を第２のコーナーコネクタ３１８の第１の連結部分または第２の連結部分（図示せず）の他方に固定するために、第２のクロスバー要素３０８および第２のポスト要素３１２上に第２のクロスバー要素３０８の端部および第２のポスト要素３１２の端部側に位置する。固定手段３２２および３２４は、第２のクロスバー要素３０８および第２のポスト要素３１２の材料における開口である。固定手段３２６および３２８は、図２に詳述するように、第２のコーナーコネクタ３１８の第１の連結部分および第２の連結部分（図示せず）上の固定手段（ばねクリップ）の位置に対応するように配置される。
【００８４】
ゴール３０２は、第１のポスト要素３１０と第１のコーナーコネクタ３１６と第１のクロスバー要素３０６とクロスバーコネクタ３１４と第２のクロスバー要素３０８と第２のコーナーコネクタ３１８と第２のポスト要素３１２とを貫通して内部に延在してこれらを互いに結合するための伸縮性ラインの形態の結合手段（図示せず）を備える。
【００８５】
一実施形態において、クロスバーコネクタ３１４は、長手方向の整合からずらされる、所定の角度で第１のクロスバー要素３０６および第２のクロスバー要素３０８を配置するように動作可能であり、その結果、組み立てられたときに、クロスバーコネクタ３１４の長手方向ずれ角度との組み合わせでの第１のクロスバー要素３０６および第２のクロスバー要素３０８の機械的撓みにより、組み立てられたゴール３０２のクロスバー３０４がその長さに沿って実質的に水平に配置される。
【００８６】
別の実施形態において、第１のコーナーコネクタ３１６および第２のコーナーコネクタ３１８は、直角よりも大きくなるように、直角からずらされる、所定の角度で第１のクロスバー要素３０６および第１のポスト要素３１０ならびに第２のクロスバー要素３０８および第２のポスト要素３１２を配置するように動作可能であり、その結果、組み立てられたときに、第１のコーナーコネクタ３１６および第２のコーナーコネクタ３１８の直角ずれ角度との組み合わせでの第１のクロスバー要素３０６および第２のクロスバー要素３０８の機械的撓みにより、組み立てられたゴール３０２のクロスバー３０４がその長さに沿って水平に配置される。
【００８７】
別の実施形態において、クロスバーコネクタ３１４は、長手方向の整合からずらされる、所定の角度で第１のクロスバー要素３０６および第２のクロスバー要素３０８を配置するように動作可能であり、かつ第１のコーナーコネクタ３１６および第２のコーナーコネクタ３１８は、直角よりも大きくなるように、直角からずらされる、所定の角度で第１のクロスバー要素３０６および第１のポスト要素３１０ならびに第２のクロスバー要素３０８および第２のポスト要素３１２を配置するように動作可能であり、その結果、組み立てられたときに、クロスバーコネクタ３１４の長手方向ずれ角度ならびに第１のコーナーコネクタ３１６および第２のコーナーコネクタ３１８の直角ずれ角度との組み合わせでの第１のクロスバー要素３０６および第２のクロスバー要素３０８の機械的撓みにより、組み立てられたゴール３０２のクロスバー３０４がその長さに沿って実質的に水平に配置される。
【００８８】
本出願に関連して本明細書と同時にまたは本明細書に先行して提出され、また本明細書と共に公開されて公衆の閲覧に付される全ての論文および文献に注意が向けられ、そのような全ての論文および文献の内容は、参照により本明細書に組み込まれる。
【００８９】
本明細書（添付の特許請求の範囲、要約書および図面を含む）に開示された全ての特徴、および／またはそのように開示された任意の方法または工程の全てのステップは、そのような特徴および／またはステップの少なくともいくつかが相互に排他的である組み合わせを除く、任意の組み合わせで組み合わされてもよい。
【００９０】
本明細書（添付の特許請求の範囲、要約書および図面を含む）に開示された各特徴は、明示的に別段の定めのない限り、同一、同等または類似の目的を果たす代替的な特徴に置き換えられてもよい。したがって、明示的に別段の定めのない限り、開示された各特徴は、一般的な一連の同等または類似の特徴のほんの一例に過ぎない。
【００９１】
本発明は、前述の実施形態の詳細に限定されるものではない。本発明は、本明細書（添付の特許請求の範囲、要約書または図面を含む）に開示された特徴のうちの任意の新規な１つまたは任意の新規な組み合わせ、あるいはそのように開示された任意の方法または工程のステップのうちの任意の新規な１つまたは任意の新規な組み合わせに及ぶ。
【図１】
2019516535.tif 000003
【図２】
2019516535.tif 000004
【図３】
2019516535.tif 000005
【国際調査報告】
2019516535.tif 000006
2019516535.tif 000007
2019516535.tif 000008